(57)【要約】  エネルギ源（４）を設けた移動可能な物体（１）、エネルギ源を作動し且つコンピュータ・メモリにリンクされた作動デバイス（６）、作動デバイスのプログラマ（８）、及びプログラマとメモリとの間のインターフェース（２）を備える儀式用設備である。作動デバイスが、支持部材（２）からの移動可能な物体の物理的分離により、及び／又は分離後に支持部材との移動可能な物体の接触により、及び／又は移動可能な物体の環境の移動可能な物体の物理的及び／又は化学的パラメータにより、及び／又は移動可能な物体の定義された空間的位置により制御される。
2007530180.tif 000002
【特許請求の範囲】
【請求項１】
少なくとも１つのエネルギ放射源（４）を備える少なくとも１つの移動可能な物体（１）と、
前記放射源を作動させる作動デバイス（６）であって、メモリを備える作動デバイス（６）と、
前記作動デバイスのためのプログラマ（８）と、
前記プログラマと前記作動デバイスのメモリとの間に設けられたインターフェース（２）であって、動作プログラムを前記プログラマから前記作動デバイスの前記メモリに転送するインターフェース（２）と、を備える装置であって、
前記インターフェース（２）が、ビーコン（１７）に設けられエネルギ波を送信する送信機と前記移動可能な物体（１）により担持された前記エネルギ波の受信機との間のエネルギ波リンクを備え、
前記作動デバイス（６）及びそのメモリが、前記ビーコン（１７）に対する前記移動可能な物体（１）の空間的位置により制御され、
前記空間的位置が、前記ビーコン（１７）により送られた命令に応答して、前記動作プログラムによりいずれのときにも計算される
ことを特徴とする装置。
【請求項２】
前記作動デバイス及び前記メモリが、前記ビーコンにより送信された命令に応答して、前記移動可能な物体の空間座標に対して制御されることを特徴とする請求項１記載の装置。
【請求項３】
前記プログラマ（８）が、前記移動可能な物体の前記空間座標と関連したパラメータを有する空間化テーブルを含むプログラムを含む請求項２記載の装置。
【請求項４】
前記作動デバイス及び前記メモリが、前記ビーコンにより送信された命令に応答して、前記移動可能な物体の環境のトポグラフィーに対して制御されることを特徴とする請求項１から３のいずれか一項に記載の装置。
と関連した
【請求項５】
前記プログラマ（８）が、前記移動可能な物体の環境の前記トポグラフィーと関連したパラメータを備えるトポグラフィー・テーブルを含むプログラムを含む請求項４記載の装置。
【請求項６】
前記移動可能な物体（１）が、エネルギ波送信機を備え、
前記ビーコン（１７）が、前記エネルギ波の受信機を備え、
前記移動可能な物体の前記作動デバイス（６）が、前記移動可能な物体（１）の前記送信機から前記ビーコン（１７）の前記受信機へ転送された情報により制御される
ことを特徴とする請求項１から５のいずれか一項に記載の装置。
【請求項７】
前記エネルギ波の送信機及び受信機を装備した少なくとも１つの第２のビーコン（１７）を備え、
前記の２つのビーコンが一緒にネットワーク化されている
ことを特徴とする請求項６記載の装置。
【請求項８】
前記のネットワークが衝突型であることを特徴とする請求項７記載の装置。
【請求項９】
前記ネットワークが走査型であることを特徴とする請求項７記載の装置。
【請求項１０】
前記移動可能な物体（１）の環境のパラメータのセンサを備え、
前記作動デバイス（６）及びそのメモリが、前記環境の物理的及び／又は化学的パラメータの変動により制御される
ことを特徴とする請求項１から９のいずれか一項に記載の装置。
【請求項１１】
前記移動可能な物体（１）が、第２のメモリを備え、
当該第２のメモリの機能は、前記ビーコン（１７）に対する前記移動可能な物体の空間的位置を記憶することであり、
前記第２のメモリが、前記インターフェース（２）を介して読み出されるよう設計されている
ことを特徴とする請求項１から９のいずれか一項に記載の装置。
【請求項１２】
前記装置が前記移動可能な物体（１）の環境のパラメータのセンサを備える場合、前記第２のメモリが、前記環境のパラメータを記憶するよう設計されている
ことを特徴とする請求項１１記載の装置。
【請求項１３】
前記ビーコン（１７）が、エネルギ信号を前記ビーコンの前記送信機から前記移動可能な物体（１）の前記受信機へ、定義された時間間隔で送るよう設計されたパルス・カウンタを備えることを特徴とする請求項１から１２のいずれか一項に記載の装置。
【請求項１４】
前記作動デバイス（６）及びそのメモリが、別の物体（２）からの前記移動可能な物体（１）の物理的分離により、又は、前記分離後に、前記他の物体との前記移動可能な物体の物理的接触により制御されることを特徴とする請求項１から１３のいずれか一項に記載の装置。
【請求項１５】
前記他の物体（２）が、前記移動可能な物体（１）の支持部材であることを特徴とする請求項１４記載の装置。
【請求項１６】
前記プログラマ（８）及び／又は前記ビーコン（１７）が、移動可能であることを特徴とする請求項１から１２のいずれか一項に記載の装置。
【請求項１７】
前記移動可能な物体（１）の前記受信機（１６）と前記ビーコン（１７）の前記送信機との間の前記エネルギ波リンクが、エネルギ波送受信機を装備する少なくとも１つの中継器を介して通ることを特徴とする請求項１から１６のいずれか一項に記載の装置。
【請求項１８】
前記移動可能な物体（１）の前記エネルギ放射源（４）が、音響及び／又は電磁放射源を備え、
前記作動デバイス（６）が、放射の作動、周波数、及び／又は強度に作用するよう設計されている
ことを特徴とする請求項１から１７のいずれか一項に記載の装置。
【請求項１９】
前記移動可能な物体（１）が、ライト・スティック及び衣類アクセサリから選択され、
これらライト・スティック及び衣類アクセサリのエネルギ放射源（４）が、少なくとも１つの光源を備える
ことを特徴とする請求項１８記載の装置。
【請求項２０】
前記移動可能な物体（１）が、飲料容器から選択され、
当該飲料容器の壁の少なくとも一部が、半透明であり、
前記移動可能な物体の前記エネルギ放射源（４）が、少なくとも１つの光源を備える
ことを特徴とする請求項１８記載の装置。
【請求項２１】
前記移動可能な物体（１）の前記エネルギ放射源（４）が、光源を備え、
前記移動可能な物体（１）が、少なくとも１つのプロジェクタを備える
ことを特徴とする請求項１８記載の装置。
【請求項２２】
前記移動可能な物体（１）の前記エネルギ放射源（４）が、少なくとも１つの音響放射源を備え、
前記移動可能な物体（１）が、前記の音拡散体から選択される
ことを特徴とする請求項１８記載の装置。
【請求項２３】
前記移動可能な物体（１）及び前記ビーコン（１７）をマーキングするユニットを備えることを特徴とする請求項１から２２のいずれか一項に記載の装置。
【請求項２４】
前記エネルギ波及び信号が、電磁波及び信号を備えることを特徴とする請求項１から２３のいずれか一項に記載の装置。
【請求項２５】
前記装置が儀式用設備であることを特徴とする請求項１から２４のいずれか一項に記載の装置。
【請求項２６】
前記移動可能な物体が建物内に置かれていることを特徴とする請求項１から２５のいずれか一項に記載の装置。
【発明の詳細な説明】
【技術分野】
【０００１】
本発明は、儀式用設備、即ち儀式を行うための設備に関する。
【背景技術】
【０００２】
儀式を行うには、多くの場合、例えば、音声送信機又は拡声器、固定又は可変強度のプロジェクタ、儀式に出席する人々が保持するライト・トーチ又は更にライト・スティック（ｌｉｇｈｔ  ｓｔｉｃｋ）のような可動又は固定の音又は光の物体を利用する。従って、ＧＢ−Ａ−Ｎｏ．２，１３５，５３６公報では、音源の強度に反応する光デバイスを提案している。ＵＳ−Ａ−Ｎｏ．３，７３７，６４７公報では、光源を含むアクセサリを付けた又は飾った衣類を記載する。
【０００３】
また、グラス又はゴブレットの足又は底部に光源を含む筐体が設けられている当該グラス又はゴブレット（ＦＲ−Ａ−Ｎｏ．２，８０７，２８２公報）、及び光又は音のアクセサリで飾った飲料容器（グラス、ゴブレット）であって、その光又は音のアクセサリが飲料容器の中の液体の物理的状態の変化に反応する当該飲料容器（グラス、ゴブレット）（ＵＳ−Ａ−Ｎｏ．５，３３９，５４８公報）が提案されている。
【０００４】
他の様々な移動可能な物体、詳細には、ビン、ライタ、ライト管又はライト・スティック、ビーコン又は衣類アクセサリが提案されてきた（ＦＲ−Ａ−Ｎｏ．２，８０７，２８１公報）が提案されてきた。
【０００５】
これらの既知のデバイス又はアクセサリは、周期的に交換又は再充電することが必要であるボタン・セル又は標準の電気バッテリを含む。このために、ＵＳ−Ａ−Ｎｏ．４，３４４，１１３公報は、ライト・グラスと、各グラスの底部に収容されたバッテリを誘導により周期的に再充電するための支持部材とを組み合わせた装置に関する。
【０００６】
Ｎｏ．ＷＯ−０３／０２６３５８公報は、ライト・スティック又は衣類アクセサリのような移動する物体にリンクされた光源の無線周波数制御のための設備を記載する。光源は、最初に、温度、雑音又は局所光の強度のような局所パラメータに従って、プログラマ及びインターフェースから制御される。この既知の設備は、物体の移動及びその環境と関連した事象駆動型パラメータに反応することに適していない。
【０００７】
Ｎｏ．ＷＯ−０３／０６７９３４公報は、多数の個別で放散型で且つ固定のランプを備える光装置を制御する設備であって、その制御がプログラマ及びインターフェースを介して与えられる設備を記載する。この既知の設備は、移動する光装置又は光物体を制御するのに適していない。
【発明の開示】
【発明が解決しようとする課題】
【０００８】
本発明の目的は、エネルギ源を設けた移動可能な物体（例えば、飲料容器）であって儀式の局面に関して増強された性能を有する当該移動可能な物体を備える新規な儀式用設備を提供することにより、前述した既知の設備の制限された性能特性を改善することにある。
【課題を解決するための手段】
【０００９】
本発明は、特に、物体が公共での当該物体の位置、個人の臨席、定義された現象の出現等々のような様々な状況に従って変わる挙動を取ることが可能であり、この挙動がまた上記設備のユーザにより意のままにプログラムされ又は変更されることができる種類の設備に関連する。
【００１０】
従って、本発明は、
−少なくとも１つのエネルギ源を備える少なくとも１つの物体と、上記放射源を作動させる作動デバイスであってメモリを備える当該作動デバイスと、
−上記作動デバイスのためのプログラマと、
−上記プログラマと上記作動デバイスの上記メモリとの間に設けられたインターフェースと、を備える儀式用設備であって、
上記物体が移動可能であり、
上記作動デバイス及びそのメモリが、
−支持部材からの上記物体の物理的分離、及び／又は
−上記分離後に、上記支持部材との物理的接触、及び／又は
−上記物体の環境の物理的及び／又は化学的パラメータの変化、及び／又は
−上記物体の定義された空間的位置
により制御されることを特徴とする、儀式用設備に関連する。
【００１１】
本発明に従った設備においては、用語「物体」は、いずれの物理的対象を指す。表現「移動可能な物体」は、特に、儀式中に相当な移動及び変化する移動を受けるよう設計された物理的対象を指し、そしてその主たる技術的機能は、特に儀式中にそのような移動を被る。逆に、表現「固定された物体」は、移動可能な物体について上記で定義した技術的機能を果たさない物理的対象を指す。それは、物体の位置が通常儀式中に相当な変化を受けない、又は散発的移動のみを受ける物体である。
【００１２】
本発明に従った儀式用設備においては、移動可能な物体は、例えば、人又は動物が通常身につけている物体、又は床の上又は環境の中で移動される運搬手段に取り付けられた物体を含む。
【００１３】
移動可能な物体の形状、寸法及び重さは、本発明の定義にとって決定的ではなく、様々なパラメータ、特に、意図する儀式の種類に依存する。本発明の範囲内に入る移動可能な物体の例は、飲料容器（グラス、カップ、ゴブレット）、衣類の品目、衣類の装飾品、宝石、移動可能な信号送出システム、トーチ、ランプ、ライト・スティック、音放出器（例示で非排他的リスト）を含む。
【００１４】
本発明に従った設備の移動可能な物体には、少なくとも１つのエネルギ源が設けられている。表現「エネルギ源」は、一般的に、仕事を発生しそうないずれの手段を指す。それは、特に、音響放射源、電磁放射源、放射線源、水圧エネルギ源、及び発熱エネルギ源、並びに物体に存在する又は物体の外側に存在する機構の制御のための命令を発生しそうな機械的又は電気的デバイス（例示的で非排他的リスト）を含む。
【００１５】
本発明に従って、エネルギ源を音響放射源及び電磁放射源から選択することが優先して取られる。音響放射源の場合、それは、物体が超音波に感応する受信機により、又は超音波に感応する動物（例えば、超音波に反応するよう訓練された犬）によりその位置を特定されることが意図されるとき、超音波源であることができる。一般的に、人間の耳に聞こえる周波数の範囲の音源の使用が優先して取られる。電磁放射源の場合、電磁放射源は光源であることが有利である。それは、単色又は多色の光源、又はレーザ・ビームであることができる。不可視放射源（例えば、赤外線又は紫外線のスペクトルで）は、本発明の範囲内に入る。特定の実施形態において、エネルギ源は、フラッシュ・ランプ（写真で通常用いられているフラッシュ・ランプの種類のもの）又は花火装置を含むことができる。
【００１６】
作動デバイスの機能は、エネルギ源を作動させることである。それは、メモリを備え、そして一般的に、多機能であり、そのことは、作動デバイスがそのメモリに含まれている定義された動作プログラムに従って、エネルギ源の１又は存在それより多くのパラメータについて作動するよう設計されていることを意味する。音響放射源又は電磁放射源の特定のケースでは、これらのパラメータは、放射源の作動、周波数、及び強度を含む。動作プログラムの単純化された説明的事例は、オーディトリウムにおいて個人が担持する電気的ライト・トーチの周波数又は強度を、そのオーディトリウムの個人の空間的位置に従って自動的に変えることを含む。定義されたプログラムの詳細の事例は、後で説明されるであろう。
【００１７】
プログラマの機能は、前述の動作プログラムを生成し、そしてそれを作動デバイスのメモリに通信することである。動作プログラムは、通常は、オペレータ（例えば、儀式を組織する人）により生成される。動作プログラムは、一連の種々の命令を組み合わせることにより生成されることができる。また、本発明の特定の実施形態に従って、プログラマに事前に格納された事前に確立されたプログラムから最初に動作プログラムを選択することも可能である。このため、本発明に従った設備の好適な実施形態においては、プログラマは、多数の事前格納されたプログラムと、必要な場合には、これらの事前格納されたプログラムのうちの１つのプログラムを選択するためのデバイスとを含む。なお、当該１つのプログラムは、前述の動作プログラムである。
【００１８】
従って、表現「動作プログラム」は、物体のエネルギ源の作動デバイスのメモリに配置され、そしてこの作動デバイスの動作を制御するプログラムを指す。表現「事前に確立されたプログラム」は、オペレータ（個人又は個人から成るグループ）により生成されたプログラムを指し、そして表現「事前に格納されたプログラム」は、プログラマに格納された事前格納プログラムを指す。
【００１９】
プログラマは、移動可能されることも、又は固定にされることもできる。なお、用語「移動可能」及び「固定」は、移動可能な物体及び固定された物体の定義に関して上記で与えたような同じ定義を有する。
【００２０】
前述したように、移動可能な物体のエネルギ源の作動デバイスのメモリは、動作プログラムを含む。この動作プログラムを用いて、上記エネルギ源の作動デバイスを制御する。それは、プログラマの中で命令を組み立てることにより生成され済みである（事前に確立されたプログラム）か、又はそれは、プログラマに前に格納されたプログラムのリストから選択され済みである（事前に格納されたプログラム）。動作プログラム、適切な場合には、事前に格納されたプログラムは、次いで、適正な移動可能な物体、その定義及びその機能に依存する一連の命令を含む。一例として、定義された空間の中を運ばれることを意図された移動可能な物体の場合、プログラマの中で選択され、そして移動可能な物体のメモリへ送信された動作プログラムは、この空間が庭か、建物の外の土地か、又は建物の内部かに従って異なるであろう。同様に、プログラマにおいて選択され、そして移動可能な物体のメモリへ送信された動作プログラムは、この移動可能な物体が祭りの儀式のためを意図した飲料容器か、集団の実演で用いられる電気トーチか、又は更に衣類のアクセサリかに従って異なるであろう。
【００２１】
インターフェースの機能は、前述の動作プログラムをプログラマから移動可能な物体の作動デバイスのメモリに転送することである。インターフェースは、移動可能であることも、又は固定にされることもでき、用語「移動可能」及び「固定」は、移動可能な物体及び固定された物体の定義に関して上記で与えた定義と同じ定義を有する。更に、インターフェースは、プログラマに取り外し可能に、又は恒久的にリンクされることができる。恒久的リンクの場合には、プログラマは、インターフェースの一体部分であることができる。しかしながら、本発明の変形に従って、プログラマが、インターフェースから分離していて、そしてそれが取り外し可能にリンクされて、インターフェースから分離されることができることが好ましい。
【００２２】
データ又は命令を含む信号の転送のための適切なインターフェースを、本発明の範囲内で用いることができる。最も適切なインターフェースの選択は、移動可能な物体及びプログラマに依存し、そしてそれは、プログラマが移動可能か又は固定されているかに従って、又はインターフェースが移動可能か又は固定されているかに従って、或いはインターフェースがプログラマに着脱可能にリンクされるか又は恒久的にリンクされるかに従って異なるであろう。
【００２３】
本発明に従って、エネルギ源の作動デバイスは、定義された制御手段により管理される。
本発明の第１の実施形態においては、上記制御デバイスは、支持部材からの移動可能な物体の分離物理的分離を有する。本明細書においては、表現「物理的分離」は、広い意味で、物体が支持部材から分離される前に当該支持部材に物理的に接触するケース、及び物体が支持部材に接触していないケースを含むと考えるべきである。本発明のこの実施形態においては、支持部材は、移動可能な物体の性質、及び設備を用いる状況に依存するであろう。例えば、移動可能な物体が衣類の装飾物（例えば、宝石の品目）である場合、支持部材は、衣類の装飾物（宝石の品目）のための箱であり得る。移動可能な物体が飲料容器である場合、支持部材は、グラスを支持するトレイから成り得る。
【００２４】
本発明の第２の実施形態においては、上記制御手段は、前述の支持部材との物体の物理的接触を含み、それは、当該物体の当該支持部材からの分離に続く。本明細書において、表現「物理的接触」は、広い意味で、物体が支持部材に物理的に接触するケース、及び物体が支持部材に接触すること無しに当該支持部材に近づくケースを含むと考えるべきである。この実施形態は、移動可能な物体が飲み物用グラスであり、そして支持部材が当該グラスを支持することを意図されるトレイであるケースに適用可能である。
【００２５】
本発明の第３の実施形態においては、制御手段は、物体の環境の物理的及び／又は化学的パラメータの変形を有する。当該環境は、移動可能な物体の近傍又は周囲、例えば、周囲の空気、固定又は移動可能なものの存在、物体の近くの動物又は人々、物体へ対して近くでのガス発散、輪郭の不規則さの存在又は水のシートの存在（例示的で非排他的リスト）等を指す。移動可能な物体の環境は、当該物体の運動に従って変わるのは明らかである。
【００２６】
物理的パラメータの例には、温度、圧力及び時間が含まれ、一方、化学的パラメータの例には、周囲大気の化学的組成が含まれる。
本発明の第４の実施形態においては、制御手段は、移動可能な物体の空間的位置を有する。この空間的位置は、通常、固定又は可動であることができる１又はそれより多くのビーコンに対して定義される。
【００２７】
本発明に従った設備の特定の実施形態においては、前述のインターフェースは、プログラマと作動デバイスのメモリとの間に直接の又は誘導ベースの電気的結合を有する。本発明のこの実施形態においては、インターフェースは、物理的表面を有し、その物理的表面に対して、移動可能な物体が、物理的に付与される。この物理的表面は、一般的に、金属又は別の材料から作られた支持部材を含むことができ、その支持部材の形状及び寸法は、移動可能な物体の形状及び寸法に適合される。従って、この表面は、移動可能な物体上の相補的電気的コネクタと協働するよう意図された電気的コネクタを含むことができる。変形として、それは、移動可能な物体の１又はそれより多くの電気的誘導ループと協働することを意図された１又はそれより多くの電気的誘導ループを含むことができる。移動可能な物体と表面との物理的接触は、着脱可能でなければならない。そこにこの表面が作られる材料、その形状及びその寸法は、本発明の定義にとって重要ではなく、そしてそれらは、特に、移動可能な物体の形状、その寸法、及びその機能、及び電気的結合モードに依存するであろう。本発明のこの特定の実施形態においては、インターフェースは、本発明の第１及び第２の実施形態を参照して前に言及した支持部材を有利に備えることができる。本発明のこの特定の実施形態を動作させるとき、プログラマ及びインターフェースは、電気的主ネットワークにリンクされ、移動可能な物体は、インターフェースを形成する支持部材と物理的接触した状態に配置され、そして動作プログラムは、プログラマの中に事前確立され且つ事前格納されたプログラムのリストから選択され、それにより、動作プログラムは、続いて、インターフェース（支持部材）を介して移動可能な物体のエネルギ源の作動デバイスのメモリに転送される。プログラマと作動デバイスのメモリとの間のリンクは、移動可能な物体がインターフェース支持部材から物理的に分離されるとき明らかに解消される。この瞬間から、作動デバイスのプログラムが固定されることが続き、そしてそれが変更されることが必要である場合、移動可能な物体がインターフェース支持部材に対して再び物理的リンクされねばならない。例えば、移動可能な物体が飲料容器（例えば、グラス）である特定のケースでは、インターフェースを形成する支持部材は、当該飲料容器を支持するため、直接の電気的接触又は好ましくは誘導ループを設けられたトレイ又は表面（その上にクロスが置かれるか又はシートが接着剤で付けられた（例えば、粘着性シート）であることができる。
【００２８】
直前に説明した特定の実施形態の変形においては、インターフェースの直接の又は誘導ベースの電気的結合は、全体的に又は部分的に、限定され且つ十分定義された範囲の電磁波の局部発生器により置換され、そして物体には、上記電磁波の受信機が設けられる。
【００２９】
本発明に従った設備の特に有利な実施形態においては、プログラムは、エネルギ波インターフェースにより転送される。このため、移動可能な物体には、エネルギ波の受信機と、エネルギ波の送信機を備える少なくとも１つのビーコンとが装備され、そしてプログラマを用いて生成された命令を格納したメモリが、含まれる。移動可能な物体のエネルギ源の作動デバイスのメモリとビーコンとの間のリンクは、エネルギ波を介してである。
【００３０】
本発明に従って、エネルギ波リンクは、ワイヤ有線、ケーブル又は類似のものによる物理的接続を含むことなしに、主に実行されるエネルギの伝送にある。この通信を与えるエネルギ波には、音波を含めることができる。それらには、電磁波、特に、無線リンクで通常用いられている種類の無線周波数波が含まれることが好ましい。ＶＨＦ及びＵＨＦ波は、完全に適している。レーザビーム・リンクがまた、適切である。
【００３１】
インターフェースのためビーコンを使用することにより、特に、ビーコンの位置に従って移動可能な物体の位置を任意の時間に決定することが可能になる。このため、ビーコンにパルス・カウンタを装備し、そして電磁信号をビーコンの送信機から移動可能な物体の受信機へ定義された時間間隔で送ることにある既知の方法が、有利に適用されることができる。
【００３２】
前述した有利な実施形態の特定の変形においては、ビーコンは、移動可能な物体のアクティブな動作プログラムを別の動作プログラムと置換することができる。
前述した有利な実施形態及びその特定の実行変形においては、動作プログラムは、それに、空間化テーブル及び／又はトポグラフィー・テーブルを追加することができる。空間化テーブルは、ビーコンにより送信され且つ移動可能な物体の空間座標に関する命令に応答して、移動可能な物体の作動デバイスを制御するため選択的に活動化される一連のパラメータを備える。この制御の効果の下で、エネルギ源は、上記移動可能な物体の相対的空間座標に従って、作動デバイスにより定義された仕事を生成するであろう。ビーコンにより送信される命令であって構内のトポグラフィーに関連した情報、例えば、建物の異なるレベル又はフロア（階）、又は儀式が開催されている環境において参加者の正常な移動に対する障害物のようなものに関連した情報に関する命令に応答して、移動可能な物体の作動デバイスを制御するため選択的に活動化される一連のパラメータを備える。これらの障害物には、例えば、壁、階段、スロープ、低い天井、彫像、他の装飾物、植物ポット、水ボウル（皿）、噴水等が含まれる。例えば、移動可能な物体のエネルギ源が音響又は電磁放射源を備える場合、前述の制御は、音響又は電磁放射源の周波数及び／又は強度に、移動可能な物体の空間座標の関数（空間化テーブルの場合）、又は移動可能な物体の近傍の定義された障害物の存在の関数（トポグラフィー・テーブルの場合）として作用するであろう。
【００３３】
前述の特に有利な実施形態及びその特定の実行変形は、それらが移動可能な物体及び／又はプログラマが移動される場合でさえ、プログラマと移動可能な物体のメモリとの間のリンクを維持することを可能にする特別の特徴を有する。それは、このようにして、恒久的に且つ意のままに、移動可能な物体のメモリに含まれた動作プログラムを変更し又はメモリに特定の命令を送って、事前にプログラムされていなかったであろう様々な状況、例えば、移動可能な物体の空間的位置又は地形、予期しない又は特定の現象の出現、局所情報又はチャンス情報の予期せぬ到着、周囲圧力又は温度又は周囲光の変化のようなもの（例示的で非排他的リスト）に従ってエネルギ源の作動デバイスの機能を適合させることを可能にする。
【００３４】
前述した有利な実施形態の別の特定の実行変形においては、移動可能な物体は、必要ならば、エネルギ波の送信機を備えることができ、そしてビーコンは、適宜に、エネルギ波の受信機を備えることができる。本発明の実施形態のこの変形においては、移動可能な物体の送受信機とビーコンの送受信機とは、移動可能な物体の前述の作動デバイスがビーコンからの信号であって移動可能な物体の送信機によりビーコンの受信機に転送された情報から制御される信号に応答するように対話することができる。
【００３５】
前述した特に有利な実施形態の好適な実行変形においては、設備は、（専用ケーブルにより、主電気ネットワーク・ケーブルにより、又はエネルギ波による伝送により）一緒にネットワーク化された少なくとも２つのビーコンを備え、各ビーコンは、上記で説明したエネルギ波の送受信機及びメモリを備える。従って、当該ネットワークを実現する１つの方法は、個々に作動する各ビーコンの送信機による移動可能な物体の走査を含む。例えば、設備が、一方では、各移動可能な物体には放射源及び受信機が設けられた５個の移動可能な物体を備え、他方では、各ビーコンには送信機が設けられた４個のビーコンを備えるケースにおいては、各移動可能な物体の受信機（個々に考慮される）は、連続した４個の個々の信号により走査され、それぞれ連続的に事前定義された順序でそれらビーコンから発信する。しかしながら、本発明のこの実行変形は、このネットワークの実施形態に制限されず、他の既知の方法、例えば、衝突を許すプロトコルを有するネットワークが、それと取って代わることができる。
【００３６】
本発明のこの好適な実行変形においては、移動可能な物体の作動デバイスは、各ビーコンに対する移動可能な物体の位置に従って、エネルギ源の調整を得るようにプログラマの送信機により制御される。例えば、エネルギ源が電磁放射源である場合には、その調整は、移動可能な物体がビーコンから離れて別のビーコンに近づく、又はその逆であるとき、放射の周波数又は振幅が所定の方向に変更される（例えば、前進的に増大する）ように、その放射の周波数又は振幅に作用する。移動可能な物体が幾つかのエネルギ源（例えば、幾つかの電磁放射源）を有する場合には、これらのエネルギ源は、ビーコンに対する移動可能な物体の空間的位置が変わるとき、異なる手順に従って制御されることができる。なお、これらの手順は、前述の確立されたプログラムにより支配される。例えば、２つの電磁放射源の場合、そのうちの一方の電磁放射源の周波数及び／又は強度は、ビーコンのうちの１つに対する移動可能な物体の空間的位置に従って変わるのに対して、他方の電磁放射源の周波数及び／又は強度は、別のビーコンに対する移動可能な物体の空間的位置に従って変わるであろう。本発明のこの変形に合致する設備は、少なくとも２つのビーコンを備える。それは、儀式のイベントが行われる空間でランダムに又は所定の要領で散乱されるより多くのビーコン（ビーコンの数は重要ではない。）を備えることができる。ビーコンは、全て固定でも或いは全て移動可能でも同じように良好であり、そして、変形として、それらの一部が固定されることができる一方で、他のものが移動可能であることができる。
【００３７】
前述した特に有利な実施形態の追加の実行変形においては、移動可能な物体の受信機（又は適宜に送受信機）と１又はそれより多くのビーコンの送信機（又は適宜に送受信機）との間のエネルギ波リンクは、エネルギ波の送受信機を装備した少なくとも１つの中継器（例えば、無線波中継器）を通る。本発明のこの変形は、そのため移動可能な物体又はビーコンが配設され又は大きい表面の範囲、又はエネルギ波の伝搬に対する自然又は人工の障害物を有する表面の範囲を越えて移動されることを意図されている設備の場合関心が高いものである。
【００３８】
前述した特に有利な実施形態の追加の実行変形においては、設備はまた、単発の命令を移動可能な物体の作動デバイスに転送することを、そのメモリの命令に加えて、又は後者を短絡した後で、転送するよう設計された制御デバイスを備える。本発明のこの実施形態は、移動可能な物体及びインターフェースの各ビーコンがエネルギ波の送受信機を備えることを要求する。本発明のこの追加の実施形態の特定のケースにおいては、設備は、上記制御デバイスが命令を、通し番号により定義された特定の移動可能な物体に転送するため当該特定の移動可能な物体と協働することを可能にする。
【００３９】
本発明に従った設備の追加の実施形態においては、移動可能な物体のエネルギ源が、中継器を備える。本発明のこの実施形態においては、中継器は、作動デバイスから発信する命令に応答して、移動可能な物体に存在する又はそれから分離して存在する機構を作動するよう意図されている。
【００４０】
本発明に従った設備の追加の実施形態においては、移動可能な物体は、第２のメモリを備え、その第２のメモリの機能は、センサ又は他の等価な手段により得られた上記移動可能な物体の環境のパラメータ、及び１又はそれより多くのビーコンに対する上記移動可能な物体の空間的位置を記憶し格納し、当該第２のメモリは、インターフェースを介して読み出されることができる。上記設備のこの追加の実施形態は、移動可能な物体の追跡可能性を可能にする。移動可能な物体の動きをモニタリングし、従って、移動可能な物体の追跡可能性又は移動可能な物体の安全及び／又はそのユーザ及び／又はその環境を保証する点で応用に供される。或るケースでは、移動可能な物体は、この第２のメモリに含まれたデータをインターフェースに通信し、又は移動可能な物体が収集したデータをインターフェースに直接且つリアル・タイムで送信することに関して主導権を取ることができる。
【００４１】
本発明に従った設備が大きい公衆向けに上記で定義したように多数の移動可能な物体を備えるとき、移動可能な物体の位置を特定して回復することができるようそれらの移動可能な物体にマークを付すことに興味があることが分かった。このため、特定の実施形態においては、設備は、上記移動可能な物体にマークを付すユニットを備える。本発明のこの実施形態においては、設備がまたプログラム及びインターフェースのようなその他の構成要素にマークを付すユニットを備えることが有利であることが分かった。本発明のこの特定の実施形態は、本発明に従った設備の構成要素を本発明に適合した別の設備の対応の構成要素から区別することを可能にする。従って、それは、定義された設備の構成要素（例えば、物体又はビーコン）が別の設備の対応の構成要素により置換されることができることを回避するものである。本発明は、あたかも様々なマークを付された構成要素が全て同じ方法でマークを付されたかのように１つの同一の設備で当該構成要素を同時に用いることができることを可能にする手順を提供する。
【００４２】
本発明に従った設備において、移動可能な物体は、特にその作動デバイスを動作させることができるため、スタンドアロンの発電機を装備しなければならない。同様に、プログラマが移動可能である場合には、それは、通常、スタンドアロンの発電機を装備しなければならない。インターフェースが移動可能であるか又はプログラマから分離されている場合、同じことがインターフェースに対して適用される。
【００４３】
移動可能な物体のスタンドアロンの発電機、及び適宜にはプログラマ及び／又はインターフェースのスタンドアロンの発電機は、本発明の定義に重要でない。その選定は、移動可能な物体の（及び適宜にはプログラマ及び／又はインターフェースの）性質、形状、寸法、及び意図した使用のような様々なパラメータに依存するであろう。それは、ＡＣ電流発生器又はＤＣ電流発生器であることができる。状況に応じて、スタンドアロンの発電機は、例えば、電気バッテリ、燃料電池バッテリ、及び電気蓄電器（例えば、キャパシタ及び再充電可能な電気バッテリのようなもの）から選定することができる。
【００４４】
それらが固定されているとき、プログラマ及びインターフェースは、スタンドアロンの発電機を装備し、又は主電気ネットワークにリンクされることができる。
本発明に従った設備の特定の実施形態においては、前述のインターフェースは、上記で定義した直接又は誘導ベースの電気結合と、エネルギ波リンク（１又はそれより多くのビーコン、及び適宜には１又はそれより多くの中継器（これらの構成要素は、上記で定義されそして説明されている。）を含む。）とを備える。この実施形態は、再充電可能電気蓄電器とその構成要素にマークを付すユニットとを含む設備に十分に適している。次いで、直接又は誘導ベースの電気結合が、構成要素にマークを付し、そして電気蓄電器を電気充電器に結合するため用いられる一方、エネルギ波リンクを用いて、プログラマを移動可能な物体の作動デバイスのメモリと通信する状態に置く。
【００４５】
また、変更された実施形態においては、直接又は誘導ベースの電気結合を用いて、プログラマを移動可能な物体の作動デバイスのメモリと通信する状態に置く。本発明のこの変更された実施形態においては、電気結合を用いて、動作プログラムを、プログラマに事前確立され事前格納されたプログラムから上記メモリへ転送する一方、設備を用いて、この動作プログラムをリアル・タイムで適合させ、又はそれに、例えば、周囲圧力及び温度、周囲光、移動可能な物体の空間的位置、自然又は人工の障害物の存在、構内のトポグラフィー（例示的で非排他的リスト）のような局在状況に特有の命令を送る。
【００４６】
本発明に従った設備においては、移動可能な物体は、適宜に、１又はそれより多くのセンサを備え、そのセンサの技術的機能は、そのメモリに格納された前述の動作プログラムを使用可能にして、局在パラメータ（例えば、構内の光の強度、この光の強度の変更、又は、飲料容器の場合には、当該飲料容器が含む液体のレベル）に応答して、この移動可能な物体のエネルギ源の作動デバイスについて独立に反応することにある。変形として、動作プログラムは、インターフェースが特定の命令を移動可能な物体のエネルギ源の作動デバイスに送ることができるように、これらの局在パラメータをインターフェースに転送するよう設計することができる。
【００４７】
本発明に従った設備の電子機器に対しては、小さく且つ低エネルギ消費の構成要素の選定に優先権を与える。従って、本発明は、設備の構成要素を小型化し、そして当該設備が活動状態にある間とアイドル状態にある間の両方で、その電気消費を低減することを可能にする。
【００４８】
本発明に従った設備は、例えば、公演、宗教的又は非宗教的儀式、結婚式、共進会場の祭り、有名人の歓迎会、会議、芸術的、文化的又は宣伝のイベント又は集団実演（非排他的リスト）のような、多種多様な公的又は私的儀式での応用があることが分かる。それはまた、バー、レストラン、ホテル、ディスコ（テーク）等で通常用いることができる。
【００４９】
本発明に従った設備は、移動可能な物体が飲料容器であり、その飲料容器の壁の少なくとも一部が半透明であり（例えば、ガラス又はカップ）、そしてエネルギ源が光源を備えるケースにおいて特定の応用があることが分かる。本発明のこの特定の応用において、インターフェースは、例えば、飲料容器を支持するため用いられるトレイ、又は適切な支持部材上に固定された（例えば、接着剤で接着された）クロス又はシートを備え、このトレイ、このクロス又はこのシートは、飲料容器上の対応の電気部品と協働することを意図した電気的接触部又は誘導ループを備える。変形として、電気的接触部及び誘導ループ（又は後者に加えて）、トレイ、クロス又はシートは、制限され且つ十分に定義された範囲の電磁波の発生器を備えることができ、従って、飲料容器には、上記電磁波の受信機が設けられる。
【００５０】
本発明のこの有利な実施形態においては、プログラマにより選択され且つ飲料容器のメモリに転送された動作プログラムは、飲料容器がインターフェースから離れるとき、又は飲料容器が上記インターフェース上に置かれるとき、又は飲料容器が室内で又は空間を越えて、例えば、人混みの中で移動されたときですら、当該飲料容器の中に送られる光を変更する。
【００５１】
本発明に従った儀式用設備の設計は、全ての非儀式用設備、例えば、公共の又は産業用設備へ変形することができ、
−少なくとも１つのエネルギ源と、上記エネルギ源の１つの作動デバイスであってメモリを設けた上記１つの作動デバイスとを設けた少なくとも１つの物体と、
−上記作動デバイスのプログラマと、
−上記プログラマと上記作動デバイスのメモリとの間のインターフェースとを備えた設備は、
上記物体が、移動可能であり、
上記作動デバイス及び当該作動デバイスのメモリが、
−別の物体からの上記移動可能な物体の物理的分離、
−上記分離後に、上記他の物体との上記移動可能な物体の物理的接触、及び／又は
−上記移動可能な物体の環境の物理的及び／又は化学的パラメータ、及び／又は
−上記移動可能な物体の定義された空間的位置
により制御されることにより特徴付けられる。
【００５２】
本発明に従った設備においては、表現「移動可能な物体」、「固定された物体」、「物理的分離」及び「物理的接触」に対して、本発明に従った儀式用設備のケースにおけるこれらの表現に対して与えられる定義を与えることが重要である。
【００５３】
本発明に従った設備の好適な実施形態においては、移動可能な物体は、第２のメモリを備え、当該第２のメモリの機能は、上記移動可能な物体の環境のパラメータであってセンサ又は他の等価な手段により得られた上記環境のパラメータと、１又はそれより多くのビーコンに対する上記物体の空間的位置とを記憶して格納し、上記第２のメモリは、上記インターフェースにより読み出されるよう設計されている。上記設備のこの好適な実施形態は、上記物体の追跡性を可能にする。上記物体の移動をモニタリングすることを可能にし、従って上記物体の追跡性、又は上記物体及び／又はその環境の安全を保証する点で用途がある。一部のケースにおいては、上記物体は、この第２のメモリに含まれたデータをインターフェースに通信する際に、又はインターフェースが収集したデータを直接及びリアル・タイムでインターフェースへ送信する際に、イニシアティブを取ることができる。
【発明を実施するための最良の形態】
【００５４】
本発明の特定の特徴及び詳細が、本発明の２〜３の特定の実施形態を表す添付の図面の以下の説明から明らかになるであろう。
これらの図面において、同じ参照番号は、同じ構成要素を示す。
【００５５】
図１に表された設備は、
−飲料を入れるのに用いられる一連のグラス１と、
−グラス１を支持するトレイ１８を備えるインターフェース２と、
−その機能を以下で説明する制御モジュール３と、を備える。
【００５６】
グラス１には、多色光源４、バッテリ５、及び多色光源４の作動デバイス６が設けられている。それらはまた、１組の電子回路（図示せず）を備え、当該１組の電子回路は、バッテリ５の充電状態をモニタリングする回路、及び作動デバイス６と関連し且つこの作動デバイス６を作動及び制御するための動作プログラムを含むメモリを含む。
【００５７】
制御モジュール３は、バッテリ充電器７、プログラマ８、及びグラス１及びトレイ１８にマーキングする（マークを付ける）ためのデバイス９を備える。プログラマ８は、事前に確立され且つ事前に格納されたプログラムのリストを備える。スイッチ１５を用いて、選定に従って事前に格納されたプログラムのこのリストから動作プログラムを選択する。移動可能な電気接続部１０が、制御モジュール３をトレイ１８にリンクさせる。
【００５８】
トレイ１８は、それを電源網に接続するためのコネクタ１１、電気誘導ループ１２、電気バッテリ１３、メモリ１９、及びファンクション・スイッチ１４を備える。電気誘導ループ１２の数は、通常、グラス１の数と等しいが、これは不可欠であるわけではない。
【００５９】
図１の設備の使用は、以下のステップから成る。
第１のステップにおいて、グラス１は、それらのそれぞれの基部が電気誘導ループ１２の上にあるようにトレイ１８の上に置かれ、ファンクション・スイッチ１４は、「充電」モードに設定され、そしてコネクタ１１は、電源網に接続される。設備は、この状態に、バッテリ１５及び１３を電源１１から充電するに十分な時間維持される。バッテリが十分に充電されたとき、ファンクション・スイッチ１４は、マーキング・デバイス９をトレイ１８に接続し、従ってグラス１及びトレイ１８に識別コードを割り当てるよう動作される。
【００６０】
第１のステップのマーキング動作に続く補助ステップにおいて、制御モジュール３のスイッチ１５は、動作プログラムを上記の事前格納されたプログラムのリストから選択し、それを記憶しておくトレイ１８に送るよう動作される。
【００６１】
第１のステップ及び補助ステップに続く第２のステップにおいて、トレイ１８のファンクション・スイッチ１４は、上記の補助ステップで選択された動作プログラムがグラス１の作動デバイス６のメモリに転送される位置にトレイ１８を置くよう動作される。このステップの後に、グラス１の多色光源４は、作動デバイス６のメモリの中の動作プログラムからの命令に応答して作動する当該作動デバイス６により課される挙動（例えば、多色光源４が、単色光を、定義された範囲の周波数及び定義された強度で放出する。）を採用する。電気接続部１０が、取り外される。次いで、トレイ１８及びグラス１が儀式に使用のため準備済みとなる。
【００６２】
第３のステップにおいて、コネクタ１１は、電源網からの接続を切られ、そしてトレイ１８は、儀式に出席している人々（例えば、祭りの儀式の場合の客人）の間を巡回され、それにより、彼らは、順に、グラス１をトレイ１８から取る。グラス１がトレイ１８から離れると直ぐに、それが放出する光の周波数が、作動デバイス６のメモリの中の動作プログラムにより制御された作動デバイス６からの作動により変わる。
【００６３】
第４のステップにおいて、グラス１の多色光源４の周波数又は強度は、例えば、経過時間、グラス１の位置、又は構内の照明（非排他的リスト）のような１又はそれより多くの特定のパラメータの変化に応答して変わる。
【００６４】
第５のステップにおいて、グラス１のトレイ１８への戻しに対応して、その光源の周波数が、再度変わり、そのため、それ（使用後にトレイ１８に置かれたグラス）と、トレイにあり、まだ使用されていない一杯入ったグラスとを区別することを可能にする値を採用する。
【００６５】
第６のステップは、受け取り後のグラスの洗浄に対応する。このステップにおいては、第５のステップを経たグラスがトレイを離れるとき、作動デバイス６は、そのバッテリとその光源との間の接続を切る。
【００６６】
プログラミング（作動デバイス６のメモリ内の動作プログラム）はまた、第３のステップと第４のステップとの間にアクセサリ・ステップを含み、当該ステップは、グラスがトレイから取り去られた直後で且つ空になっていない状態でトレイに戻された場合に対応する。このアクセサリ・ステップの間には、光源は、例えば、その光源により放出された光が点滅する他と異なった挙動を採用する。このアクセサリ・ステップは、トレイ１８上の一杯入ったグラスの２つのカテゴリ（元のグラスと来客の手に既に渡ったグラスと）を区別することを可能にし、そして第２のカテゴリのグラスをトレイから直ちに取り去ることを可能にする。
【００６７】
図２の設備においては、グラス１には、無線周波数波送受信機１６が設けられ、そしてインターフェース２は、トレイ１８、ビーコン１７に加えて、それぞれに無線周波数波送受信機が設けられている。
【００６８】
インターフェース２のビーコン１７は、儀式が保持している環境（その環境は、例えば、部屋、又は野外空間であることができる。）に放散される。それらは、グラス１の送受信機１６、及び制御モジュール３のプログラマ８と対話するよう設計され、プログラムされている。このため、それらは、制御モジュール３に電気配線又は無線周波数波によりリンクされている。無線周波数波によるリンクの場合、制御モジュール３には、無線周波数波送受信機（図示せず）が装備され、そしてビーコン１７は、電気バッテリを備え、又は主電源網にリンクされる。
【００６９】
図２の設備を用いるとき、トレイ１８を用いて、グラス１、トレイ１８及びビーコン１７をマーキングし、そしてバッテリ５及び１３を、そして適宜に、ビーコン１７のそれらのバッテリを充電する。動作プログラムをプログラマ８の事前格納されたプログラムからグラス１の作動デバイス６のメモリに転送することは、トレイ１８の誘導ループを介して、又はビーコン１７の送受信機とグラス１の送受信機１６との間の無線周波数波を介して実行される。このため、ビーコン１７は、その命令をグラス１の送受信機１６に所定の論理的順序で送る。受信された情報は、グラス１の動作プログラムにより解釈され、当該動作プログラムは、各グラス１の作動デバイス６を、プログラマ８で選択された事前格納されたプログラムの中の命令に従って制御するであろう。例えば、複数のグラス１のうちの１つのグラスの動作プログラムは、ビーコン１７に対する上記のグラスの位置を計算し、そしてその光源の作動デバイス６を、選択され且つそのメモリに記憶された事前格納されたプログラムの中の命令に従って制御する。
【００７０】
図２の設備においては、各グラス１の送受信機１６が、通常、ビーコン１７の送受信機により連続的に送られる連続した無線周波数信号により、所定の論理的順序に従って走査される。最も適切な走査モードは、局所状況に依存し、そしてそれを実行する手段は、当業者によりそれぞれの特定のケースにおいて決定されることができる。
【００７１】
図２の設備の特定の実施形態においては、プログラマ８の事前格納されたプログラム（又はそれらの一部）は、空間化テーブル及びトポグラフィー・テーブルを備える。空間化テーブルは、ビーコン１７の送受信機により送られグラス１の送受信機１６により受信された無線周波数信号に応答して、グラス１の作動デバイス６を制御するよう選択的に起動され且つ取り分けグラス１の空間座標を決定するため分析される一連のパラメータを備える。この制御の効果の下で、グラス１からの光の周波数及び／又は強度は、グラス１の相対的空間座標に従って変更されるであろう。トポグラフィー・テーブルは、送受信機１７により送信されグラス１の送受信機１６により受信された無線周波数信号であって、儀式を行っている環境において参加者の正常な循環に対する障害物のような構内のトポグラフィーと関連した情報に関係した無線周波数信号に応答して、グラス１の作動デバイス６を制御するよう選択的に起動される一連のパラメータを備える。これらの障害は、例えば、壁、階段、スロープ、比較的低い天井、彫像、又は他の装飾物、植木鉢、水入れ、噴水等を含むことができる。
【００７２】
図２の設備においては、インターフェース２のビーコン１７は、固定されることができる。この設備の実施形態は、特に、グラスの使用者がそれらのグラスに現れる色又は情報を見ることにより空間での彼らの位置を識別することを可能にする。変形として、インターフェース２のビーコン１７、又はそれらの一部が、移動可能であることができる。例えば、儀式に出席している或る一定の人々が、ビーコン１７を担持し、儀式に出席している人々の近傍に位置する他の参加者のグラスからの光の色を見ることにより、追跡の目的のため追われることを可能にすることを想定することが可能である。
【図面の簡単な説明】
【００７３】
【図１】図１は、本発明に従った設備の第１の実施形態のブロック図である。
【図２】図２は、本発明に従った設備の第２の実施形態のブロック図である。
【図１】
2007530180.tif 000003
【図２】
2007530180.tif 000004
【国際調査報告】
2007530180.tif 000005
2007530180.tif 000006
2007530180.tif 000007
2007530180.tif 000008
2007530180.tif 000009
2007530180.tif 000010
2007530180.tif 000011
2007530180.tif 000012